(57)【要約】【課題】エレベータの乗りかごの副操作盤を交換する際、乗りかごの開口部の寸法を調整する作業を不要とし、かつ、乗りかごの内側からの副操作盤の交換作業を容易にして、現地における作業時間を短縮する。【解決手段】エレベータの乗りかごの副操作盤を交換する方法において、既設の副操作盤の取り外しをし、取り外しにより形成された乗りかごの開口部にブラケットを固定し、開口部を覆う遮蔽カバーをブラケットに固定し、遮蔽カバーにリニューアル用の副操作盤を取り付ける。【選択図】図１０
2020117322.tif 000002
【特許請求の範囲】
【請求項１】
エレベータの乗りかごの副操作盤を交換する方法において、
既設の副操作盤の取り外しをし、
前記取り外しにより形成された前記乗りかごの開口部にブラケットを固定し、
前記開口部を覆う遮蔽カバーを前記ブラケットに固定し、
前記遮蔽カバーにリニューアル用の副操作盤を取り付ける、副操作盤の交換方法。
【請求項２】
請求項１記載の副操作盤の交換方法において、
前記ブラケットは、折り曲げ部を有し、
前記ブラケットと、前記開口部の縁部の折り曲げ部及び前記乗りかごの補強部材のうち少なくとも一方とは、締結部品により２箇所以上で固定し、
前記ブラケットは、前記開口部から見える位置に配置されている、副操作盤の交換方法。
【請求項３】
請求項２記載の副操作盤の交換方法において、
前記遮蔽カバーは、前記ブラケットのうち前記開口部から見える位置に配置されている部分に締結部品により２箇所以上で固定する、副操作盤の交換方法。
【請求項４】
請求項１記載の副操作盤の交換方法において、
前記遮蔽カバーと前記リニューアル用の副操作盤とは、締結部品により２箇所以上で固定する、副操作盤の交換方法。
【請求項５】
請求項１記載の副操作盤の交換方法において、
前記遮蔽カバーの縦方向長さ及び横方向長さのうち少なくとも一方は、前記リニューアル用の副操作盤より長い、副操作盤の交換方法。
【請求項６】
請求項１記載の副操作盤の交換方法の使用に用いるブラケットにおいて、
前記開口部の縁部の折り曲げ部及び前記乗りかごの補強部材のうち少なくとも一方に締結部品により固定可能な構成を有する、ブラケット。
【請求項７】
請求項６記載のブラケットに固定する遮蔽カバーにおいて、
前記ブラケットに締結部品により固定可能な構成を有する、遮蔽カバー。
【発明の詳細な説明】
【技術分野】
【０００１】
本発明は、副操作盤の交換方法並びにこれに用いるブラケット及び遮蔽カバーに関する。
【背景技術】
【０００２】
従来、エレベータのリニューアルでは、乗りかごに既設の側板を流用し、新しい副操作盤の据付をする方法が知られている。
【０００３】
特許文献１には、エレベータの身障者用かご内操作盤であって、乗かごの側板に開口を形成し、乗かごの内側からこの開口にベースプレートに形成した突出部を挿入し、乗かごの内側からこの突出部以外のベースプレートの他の部分を側板に固定したものが開示されている。この文献には、これにより、取り付け作業を乗かごの内側から行なうことができ、昇降路内作業を不要にすることができ、側板から乗かご内側への突出寸法を小さく抑えることができることが記載されている。
【先行技術文献】
【特許文献】
【０００４】
【特許文献１】特開平９−１５１０６１号公報
【発明の概要】
【発明が解決しようとする課題】
【０００５】
特許文献１に記載のエレベータの身障者用かご内操作盤においては、乗かごの側板に開口の寸法と新しい操作盤のベースプレートの突出部の寸法とが異なる場合、リニューアルで既設の側板を流用する際に、ベースプレートの取り付けを即座に行うことができない場合があると考えられる。また、その場合、現地で既設の側板に新しい操作盤を取り付けるために開口の寸法を調整する作業が必要となる点で改善の余地がある。
【０００６】
本発明の目的は、エレベータの乗りかごの副操作盤を交換する際、乗りかごの開口部の寸法を調整する作業を不要とし、かつ、乗りかごの内側からの副操作盤の交換作業を容易にして、現地における作業時間を短縮することにある。
【課題を解決するための手段】
【０００７】
本発明の副操作盤の交換方法は、エレベータの乗りかごの副操作盤を交換する方法において、既設の副操作盤の取り外しをし、取り外しにより形成された乗りかごの開口部にブラケットを固定し、開口部を覆う遮蔽カバーをブラケットに固定し、遮蔽カバーにリニューアル用の副操作盤を取り付ける。
【発明の効果】
【０００８】
本発明によれば、エレベータの乗りかごの副操作盤を交換する際、乗りかごの開口部の寸法を調整する作業を不要とし、かつ、乗りかごの内側からの副操作盤の交換作業を容易にして、現地における作業時間を短縮することができる。
【図面の簡単な説明】
【０００９】
【図１】本発明を適用して副操作盤の据付を行ったエレベータを示す概略構成図である。
【図２】図１の乗りかごの詳細を示す横断面図である。
【図３】図２の副操作盤の正面図である。
【図４】乗りかごの開口部に補強部材及びブラケットを取り付けた状態を乗りかごの内側から見た図である。
【図５】図４の補強部材及びブラケットを上方から見た図である。
【図６】図４に示す乗りかごの開口部に遮蔽カバーを取り付けた状態を乗りかごの内側から見た図である。
【図７】図６の遮蔽カバー９の正面図である。
【図８】図６の遮蔽カバー９の上面図である。
【図９】図５に示すブラケット８の斜視図である。
【図１０】本発明に係る副操作盤の交換作業の手順を示すフロー図である。
【発明を実施するための形態】
【００１０】
以下、本発明の実施例について、図面を用いて説明する。
【００１１】
なお、本発明は、実施例に限定されるものではなく、同様の作用効果が得られる構成を含むものとする。
【実施例】
【００１２】
図１は、本発明を適用したエレベータを示す概略構成図である。
【００１３】
本図において、エレベータは、主ロープ１と、巻上機の綱車２と、昇降路３内に設置された乗りかご４と、釣合い錘５と、を備えている。
【００１４】
主ロープ１は、綱車２に巻き掛けられている。主ロープ１の一端は、昇降路３内において乗りかご４の上部に接続されている。主ロープ１の他端は、釣合い錘５の上部に接続されている。巻上機の綱車２が回転すると、主ロープ１は、綱車２との間の摩擦力によって滑ることなく牽引される。これに伴い、乗りかご４が昇降路３内を昇降する。
【００１５】
乗りかご４の内部には、副操作盤６が据え付けられている。この副操作盤６は、貼り付け式のもの（貼り付け式副操作盤）であり、本発明を適用して、組み込み式副操作盤から貼り付け式副操作盤に変更した後の構成を示している。組み込み式副操作盤は、エレベータの新設の際に側板１２に組み込まれたものである。貼り付け式副操作盤は、リニューアルにより取り換えた新しい副操作盤である。ここで、新しい副操作盤は、「リニューアル用の副操作盤」とも呼ぶことにする。なお、リニューアル用の副操作盤は、新品が望ましいが、中古品であってもよい。
【００１６】
図２は、図１の乗りかご４の詳細を示す横断面図である。
【００１７】
本図に示すように、乗りかご４の側板１２には、副操作盤６と、側板１２の補強部材７と、ブラケット８と、遮蔽カバー９と、が設けられている。これらは、かごドア１０から見て左右両方または少なくとも一方の主操作盤１１より低い位置に配置されている。遮蔽カバー９には、リブ９Ａが取り付けられている。
【００１８】
これにより、主操作盤１１より離れた場所に乗車した人や主操作盤１１に手が届きにくい人が操作可能である。
【００１９】
図３は、図２の副操作盤６の正面図である。
【００２０】
本図に示すように、組み込み式副操作盤を取り外した際に生じる側板１２の開口部を遮蔽カバー９で塞いでいる。遮蔽カバー９の縦方向長さ及び横方向長さのうち少なくとも一方は、副操作盤６より長くすることが望ましい。これにより、乗りかごの内側より開口部が見えることを防ぐ。
【００２１】
副操作盤６は、低位置に設置されているため、子供・身障者・車椅子利用者が操作し易くなっている。
【００２２】
図４は、乗りかごの開口部に補強部材及びブラケットを取り付けた状態を乗りかごの内側から見た図である。
【００２３】
本図に示すように、側板１２の裏側には、補強部材７が設置されている。ブラケット８は、補強部材７にボルトで固定されている。ブラケット８は、側板１２の開口部から見える位置に配置されている。
【００２４】
本図においては、一つのブラケット８が補強部材７とボルトで締結されている箇所は、２箇所である。ブラケット８の側板１２の開口部に配置された部分は、側板１２に平行する平面部を有している。この平面部には、ボルト穴が設けられている。
【００２５】
図５は、図４の補強部材７及びブラケット８を上方から見た図である。
【００２６】
図５に示すように、補強部材７は、折り曲げ部を有する。ブラケット８も、折り曲げ部を有する。補強部材７とブラケット８とは、ボルトで締結されている。
【００２７】
なお、補強部材７を用いる代わりに、側板１２の開口部の縁部に折り曲げ部を設け、その折り曲げ部にブラケット８をボルトで締結してもよい。これにより、部品の数を低減することができる。
【００２８】
ブラケット８をボルトで締結する部分のすべてに対して、側板１２の開口部の縁部に設けた折り曲げ部を対応させる必要はなく、一方は補強部材７を用いてもよい。
【００２９】
また、ボルトで締結する代わりに、ブラインドリベットで締結してもよい。ここで、ブラインドリベットは、釘のような心棒をリベッターで作業者側へ引っ張ることで、円筒状のリベットの内側を変形させ、心棒を引きちぎることによりかしめるリベットである。これにより、締結作業を片側（乗りかごの内側）から行うことが可能である。
【００３０】
なお、ボルト、ブラインドリベット等は、まとめて「締結部品」とも呼ぶことにする。
【００３１】
図６は、図４に示す乗りかごの開口部に遮蔽カバー９を取り付けた状態を乗りかごの内側から見た図である。
【００３２】
図６においては、遮蔽カバー９は、ブラケット８の平面部にブラインドリベットにより片側２箇所、計４箇所で締結されている。言い換えると、遮蔽カバー９は、ブラケット８のうち開口部から見える位置に配置されている部分に締結部品により２箇所以上で固定されている。これにより、乗りかごの内側から遮蔽カバー９の取り付けを可能としている。
【００３３】
なお、遮蔽カバー９の裏面には、リブ９Ａが取り付けられている。
【００３４】
図７は、図６の遮蔽カバー９の正面図である。
【００３５】
図７に示すように、遮蔽カバー９には、リブ９Ａを取り付け、強度を高めている。遮蔽カバー９には、ブラケット８と締結するための穴９Ｂが４箇所、副操作盤６と締結するための穴９Ｃが４箇所設けられている。これにより、側板１２に副操作盤６を締結するための穴を開ける作業が不要となり、作業時間を短縮できる。
【００３６】
図８は、図６の遮蔽カバー９の上面図である。
【００３７】
図８により、リブ９Ａの断面形状が矩形状であることを明瞭に示している。
【００３８】
図９は、図２のブラケット８の詳細を示す斜視図である。
【００３９】
図９に示すように、ブラケット８は、折り曲げ部を有する。そして、補強部材７（図２）に締結するための穴８Ａが２箇所、遮蔽カバー９（図２）に締結するための穴８Ｂが２箇所設けられている。
【００４０】
また、ブラケット８には、切欠き部８Ｃが設けられている。これにより、補強部材７とのボルト締結の作業を容易にしている。
【００４１】
以下、副操作盤６の交換作業の手順について説明する。
【００４２】
図１０は、本実施例に係る副操作盤の交換方法を示したものである。
【００４３】
１．既設の組み込み式副操作盤を取り外す（Ｓ１０）。取り外しは、副操作盤カバーを外し、組み込み式副操作盤と側板１２の締結を外し、乗りかご４の内側より開口部から引き抜くことによりなされる。
【００４４】
２．上記副操作盤を取り外して生じる開口部より側板１２の裏面の補強部材７の位置を確認し、補強部材７にブラケット８をボルトで締結する（Ｓ２０）。ボルトの代わりに、ブラインドリベットを使用してもよい。
【００４５】
３．上記手順２で締結した補強部材７の反対側にも、同様の手順でブラケット８を取り付ける。
【００４６】
４．上記開口部に遮蔽カバー９をはめ込み、補強部材７に取り付けたブラケット８の穴８Ｂに遮蔽カバー９の穴９Ｂを合わせ、ブラインドリベットで締結する（Ｓ３０）。
【００４７】
５．上記遮蔽カバー９の穴９Ｃに貼り付け式の副操作盤６を締結する（Ｓ４０）。
【００４８】
上記交換方法により、乗りかご４の内側より副操作盤６の交換が可能である。また、遮蔽カバー９の取り付けにより、上記の既設の副操作盤を取り外して生じる開口部の大きさに依らず、副操作盤６の交換が可能である。さらに、遮蔽カバー９に設けられた穴によって副操作盤６の固定が可能であり、現地で既設の側板１２に副操作盤６を取り付けるために行う現地穴あけ作業が不要となり、現地における作業時間を短縮できる。
【００４９】
なお、現地における作業を省くためには、事前に、設計図面等により既設の組み込み式副操作盤の寸法等を把握し、補強部材７に設けられているボルト（固定部品）等の配置を把握し、これに基いて、補強部材７に取り付け可能なブラケット８を準備することが望ましい。この際、ブラケット８とともに、ブラケット８に取り付け可能な遮蔽カバー９も準備することが望ましい。
【００５０】
よって、ブラケット８及び遮蔽カバー９は、本発明の副操作盤の交換方法を行う際に用いる部品である。
【００５１】
ブラケット８は、乗りかごの開口部の縁部の折り曲げ部及び補強部材７のうち少なくとも一方に締結部品により固定可能な構成を有する。この場合に、締結部品を挿入する穴は、現地で開けてもよい。位置合わせを正確に行うためである。
【００５２】
同様に、遮蔽カバー９は、ブラケット８に締結部品により固定可能な構成を有する。この場合も、締結部品を挿入する穴は、現地で開けてもよい。
【符号の説明】
【００５３】
１：主ロープ、２：綱車、３：昇降路、４：乗りかご、５：釣合い錘、６：副操作盤、７：補強部材、８：ブラケット、９：遮蔽カバー、１０：かごドア、１１：主操作盤、１２：側板。
【図１】
2020117322.tif 000003
【図２】
2020117322.tif 000004
【図３】
2020117322.tif 000005
【図４】
2020117322.tif 000006
【図５】
2020117322.tif 000007
【図６】
2020117322.tif 000008
【図７】
2020117322.tif 000009
【図８】
2020117322.tif 000010
【図９】
2020117322.tif 000011
【図１０】
2020117322.tif 000012